(57)【特許請求の範囲】
【請求項１】
接合レンズを有する光学系であって、該接合レンズの接着層は無機微粒子を透明媒体に分散させた混合体から成り、前記混合体のアッベ数をνＩＴ、ｇ線とｆ線に関する部分分散比をθＩＴとするとき、
１０＜νＩＴ＜２７
０．３＜θＩＴ＜０．７
なる条件を満足することを特徴とする光学系。
【請求項２】
前記接合レンズは正の屈折力であり、前記接着層は負の屈折力であることを特徴とする請求項１に記載の光学系。
【請求項３】
前記接合レンズは正の屈折力のレンズ成分と負の屈折力のレンズ成分とを有することを特徴とする請求項１または２に記載の光学系。
【請求項４】
前記負の屈折力のレンズ成分のアッベ数は、前記混合体のアッベ数よりも大きいことを特徴とする請求項３に記載の光学系。
【請求項５】
前記接着層の空気中の焦点距離をＦｉｔ、前記接合レンズの焦点距離をＦｓとするとき、
０．０４＜Ｆｓ／｜Ｆｉｔ｜＜１
なる条件を満足することを特徴とする請求項１乃至４のいずれか１項に記載の光学系。
【発明の詳細な説明】
【技術分野】
【０００１】
本発明は、異常部分分散を持つ光学材料を用いた光学系に関し、例えば、銀塩フィルム用カメラ、デジタルスチルカメラ、ビデオカメラ等の撮影光学系、あるいは液晶プロジェクターの投影光学系等に好適な光学系に関する。
【背景技術】
【０００２】
デジタルスチルカメラの高画素化が進む中、その像形成を行う撮影レンズにおいては球面収差やコマ収差等の単色での像性能に関わる収差の補正に加え、白色光源において色にじみ具合や像の解像感を左右する色収差に関わる収差の補正を十分に行う必要が生じている。
【０００３】
一般に撮影領域拡大のため、撮影レンズにおいては、より高いズーム比を有したズームレンズや、超広角もしくは超望遠な画界を得られることへの要望が強くある。しかしながら、特に撮影レンズの焦点距離が長くなり望遠化が進むと、軸上色収差については一次スペクトルのみならず、二次スペクトルでの色収差補正を行うことが高画質な像性能を得るために重要な要素になってくる。
【０００４】
また超広角の撮影レンズにおいては、特に焦点距離よりも長いバックフォーカスを要求される一眼レフレックスカメラ用途や、像側にテレセントリックな特性を要求される固体撮像素子を用いるデジタルスチルカメラ用途においては、強いレトロフォーカス作用を得なければならない。このような強いレトロフォーカス作用をもった撮影レンズでは、対称性が崩れてしまい、結果として倍率の色収差が大きく発生してしまうため、これを補正することが重要である。
【０００５】
従来、色収差の二次スペクトル補正するためには、光学系中に異常分散ガラスを用いたレンズを配置することが知られている。
【０００６】
例えば、物体側より順に、正、負、正、正の屈折力の４つのレンズ群が配列されたズームレンズに異常分散性を有するガラスを用いた例として、特許文献１〜４等が挙げられる。
【０００７】
また、異常分散硝材よりも更に色収差補正効果が大きい回折光学素子をズームレンズに用いたものとして、特許文献５等が挙げられる。
【０００８】
また、回折光学素子に似た色収差補正作用を持つものに、比較的高分散で、かつ比較的異常部分分散な特性を示す液体材料が知られていおり、それを用いた色消し光学系が特許文献６で提案されている。
【０００９】
また、樹脂にＩＴＯ微粒子を混合させたレプリカ材料を回折格子に用いることで回折効率を改善することが、特許文献７で提案されている。
【００１０】
一方、第１レンズ群に樹脂層で形成される非球面を設けて単色収差の補正を行う例が、特許文献８にて知られている。
【特許文献１】特許第３０９７３９９号明細書
【特許文献２】特開２００２−６２４７８号公報
【特許文献３】特開平８−２４８３１７号公報
【特許文献４】特開２００１−１９４５９０号公報
【特許文献５】特開平９−２１１３２９号公報
【特許文献６】米国特許第４９１３５３５号明細書
【特許文献７】特開２００１−７４９０１号公報
【特許文献８】特開２００１−２１８０３号公報
【発明の開示】
【発明が解決しようとする課題】
【００１１】
回折光学素子をズームレンズに用いると、異常分散硝材よりも大きな色収差補正効果が得られる。しかしながら、回折格子は光線入射角によって回折効率が変化するので、ズーミングに際し光線入射条件が変化するズームレンズに用いる場合は、回折光学素子を導入する場所が限定されたり、ズーム位置により回折効率が落ちてしまったりする可能性があった。
【００１２】
また、回折光学素子の製造方法として、紫外線硬化樹脂等を金型で成型する方法が知られているが、回折光学素子は回折効率の製造敏感度が極めて高く、非常に高い金型精度や成型精度が要求され、現時点では製造コストが高いという問題もある。
【００１３】
特許文献６に開示された材料は、液体であるために、それを封止する構造が必要となり、製造も容易とは言えない。また、温度による屈折率、分散特性などの特性変化の問題もあり、耐環境性が十分とは言えない。更に、アッベ数が比較的大きく、異常部分分散性も比較的小さいことに加え、空気との界面が得られないために十分な色収差補正作用が得難いという欠点もある。
【００１４】
また、特許文献７に開示された通常の樹脂材料で非球面を形成した場合には、色収差補正の効果は得られない。
【００１５】
本発明は、以上の従来例を鑑みなされてもので、低コストで環境変化に強い構成でありながら、効果的な色収差の補正を行うことができる光学系を実現することを目的としている。
【課題を解決するための手段】
【００１６】
上記目的を達成するため、本発明は光学系中の接合レンズの接着層を、以下の条件を満足するような無機微粒子を透明媒体に分散させた混合体で構成したことを特徴としている。
１０＜νＩＴ＜２７
０．３＜θＩＴ＜０．７
ここで、νＩＴ：混合体のアッベ数
θＩＴ：混合体のｇ線とｆ線に関する部分分散比
【発明の効果】
【００１７】
本発明によれば、低コストで環境変化に強い構成でありながら、効果的な色収差の補正が行える光学系を実現できる。
【発明を実施するための最良の形態】
【００１８】
本発明は、接合レンズの接着層に、高分散で部分分散比の低い固体材料を用いることによって、色収差の良好に補正された光学系を実現した。高分散で部分分散比の低い固体材料としては、例えばアッベ数νｄが１５以下の無機微粒子（特に粒子径が入射光波長の１／２０以下のものがよい）を合成樹脂等の透明媒体に混合した材料を用いた。
【００１９】
合成樹脂中に分散させる無機微粒子材料として、ＴｉＯ２（ｎｄ＝２．２６５２，νｄ＝１１．８），Ｎｂ２Ｏ５（ｎｄ＝２．３６７，νｄ＝１４．０），ＩＴＯ（ｎｄ＝１．８５８１，νｄ＝５．５３），Ｃｒ２Ｏ３（ｎｄ＝２．２１７８，νｄ＝１３．４），ＢａＴｉＯ３（ｎｄ＝２．４３６２，νｄ＝１１．３）等の無機酸化物微粒子が挙げられる。
【００２０】
この中でも、ＩＴＯ（Ｉｎｄｉｕｍ−Ｔｉｎ  Ｏｘｉｄｅ）は他の物質と比較して、特に小さなアッベ数を示すので好ましい。
【００２１】
ＩＴＯは、通常の物質と異なり導電性によるフリーキャリアが屈折率に影響を与えている。ＩＴＯの分散特性（図１３（ｃ））は、通常の電子遷移による短波長域での屈折率の変化（図１３（ａ））に、フリーキャリアによる赤外域の屈折率分散（図１３（ｂ））が加わって形成される。このことによりアッベ数が５．５３という異常に大きな傾きを持った分散特性波長依存性を示す。
【００２２】
また、電子遷移による屈折率分散（図１３（ａ））は、可視域においては短波長側で急激に変化する。それに対し、フリーキャリアによる屈折率分散（図１３（ｂ））は、可視域においては長波長側でその変化が急激となる。その二つの影響が組み合わさることにより、部分分散比は通常に較べ小さなものとなる。
【００２３】
なお、透明でフリーキャリアの影響が予想される材料として、ＳｎＯ２及びＡＴＯ（アンチモンをドーピングしたＳｎＯ２）及びＺｎＯ等もその候補として挙げられる。
【００２４】
ＩＴＯは透明電極を構成する材料として知られており、通常、液晶表示素子、ＥＬ（Ｅｌｅｃｔｒｏｌｕｍｉｎｅｓｃｅｎｔ）素子等に用いられている。また、他の用途として赤外線遮蔽素子、紫外線遮断素子に用いられている。従来知られたＩＴＯの用途では、厚みが５０〜５００ｎｍの範囲に限られ、微粒子の混合体として光学系の色収差補正に用いた例は存在しない。
【００２５】
ＩＴＯ微粒子の平均径は、散乱などの影響を考えると２ｎｍ〜５０ｎｍ程度がよく、凝集を抑えるために分散剤などを添加しても良い。
【００２６】
ＩＴＯを分散させる媒体材料としては、モノマーが良く、成形型等を用いて光重合成形または熱重合成形することにより高い量産性を得ることができる。
【００２７】
また、モノマーの光学定数の特性としても、アッベ数が比較的小さいモノマーか部分分散比が比較的小さいモノマー、あるいは、両者を満たすモノマーが良く、Ｎ−ポリビニルカルバゾール、スチレン、ポリメタクリル酸メチル（アクリル）などが挙げられる。
【００２８】
ナノ微粒子を分散させた混合体の分散特性Ｎ（λ）は、良く知られたＤｒｕｄｅの式から導きだされた次式によって簡単に計算することができる。即ち、
Ｎ（λ）＝［１＋Ｖ｛ＮＩＴＯ２（λ）−１｝＋（１−Ｖ）｛ＮＰ２（λ）−１｝］１／２      （ａ）
ここで、λは任意の波長、ＮＩＴＯはＩＴＯの屈折率、ＮＰはポリマーの屈折率、Ｖはポリマー体積に対するＩＴＯ微粒子の総体積の分率である。
【００２９】
本実施例では、先に述べた色補正効果をより有効にするための手段として、光学系中の接合レンズの接着層にＩＴＯ微粒子を分散させた材料を選択している。
【００３０】
例えば、このＩＴＯ微粒子を例えば紫外線硬化剤を添加したポリビニルカルバゾールの樹脂に混合して接着材料として用いると、ポリビニルカルバゾールにＩＴＯ微粒子を２０％混合した場合、Ｎｄ＝１．６９５９に対して、νｄ＝１２．５５，θｇｆ＝０．５１８という特性が得られる。通常硝材で分散の大きいＴＩＨ５３ではνｄ＝２３．８、θｇｆ＝０．６２であるので、ＩＴＯ微粒子混合材料はかなり特徴のある特性を持っていることが分かる。特にθｇｆとしてかなり小さい値が得られていることから、色収差特に２次スペクトルの改善に非常に効果がある。なお、νｄ，θｇｆはそれぞれアッベ数と部分分散比であり、ｇ線、Ｆ線、ｄ線、Ｃ線に対するその材料の屈折率をそれぞれＮｇ，ＮＦ，Ｎｄ，ＮＣとするとき、以下の式で定義される。
νｄ  ＝（Ｎｄ−１）／（ＮＦ−ＮＣ）                        （ｂ）
θｇＦ＝（Ｎｇ−ＮＦ）／（ＮＦ−ＮＣ）                      （ｃ）
【００３１】
ＩＴＯの混合比率を増やすことで異常分散効果も大きくなるが、このとき透過率が劣化してしまうので、ある程度以上に混合比を上げること、もしくは接着層の厚みを大きくすることは望ましくない。
【００３２】
また、本発明の接着層で接着される接合レンズとしては、正の屈折力のレンズ成分と負の屈折力のレンズ成分を接着し、全体として正の屈折力を持つようにしたものがよい。この場合、ある程度複数のレンズ成分同士で色収差補正を行わせることができるので、接着層に与える負の屈折力が小さくとも、十分な色収差補正効果が期待でき、接着層の厚みを薄くすることができる。
【００３３】
なお、本実施例で用いた無機微粒子を透明媒体に混合した材料よりなる接着層は、接合される負の屈折力のレンズ成分のアッベ数をνｄ１、接着層のアッベ数をνｄ２とするとき、
νｄ１＞νｄ２
なる条件を満足することが、効果的な色収差補正を行う上で望ましい。
【００３４】
そして、この接着層は、それを構成する材料のアッベ数と部分分散比をそれぞれνＩＴ，θＩＴとするとき、
１０＜νＩＴ＜２７                  （１）
０．３＜θＩＴ＜０．７              （２）
なる条件を満足している。
【００３５】
但し、νｄ１，νｄ２，νＩＴは式（ｂ）で定義されるｄ線を基準としたアッベ数であり、θＩＴは式（ｃ）で定義されるｇ線とＦ線に関する部分分散比である。
【００３６】
条件式（１）の下限を超えてアッベ数を小さくしようとすると、無機微粒子の混合比率を増やさなければならなくなるため、透過率が悪化してしまうか、異常分散効果が大きくなりすぎて色収差補正が過剰になってしまう。逆に上限を超えると色収差補正効果が不十分になる。
【００３７】
また条件式（２）の下限を超えて部分分散比を小さくするには、これも無機微粒子の混合比率を大きくしなければならず、透過率が悪化するか、色収差補正が過剰になるので良くない。また条件式（２）の上限を超えて部分分散比が大きくなると色収差補正効果が不十分になるので良くない。
【００３８】
そしてより好適に色収差補正条件と透過率の関係を両立させるためには、条件式（１）、（２）を以下に示す数値範囲とするのがなお良い。
１０＜νＩＴ＜１６                                （１ａ）
０．４＜θＩＴ＜０．６                            （２ａ）
【００３９】
また、接着層をあまり厚くせずに効果的な色補正効果を得るためには、接着層の空気中の焦点距離（界面が共に空気である場合の焦点距離）をＦｉｔ、接合レンズの焦点距離をＦｓとするとき、
０．０４＜Ｆｓ／｜Ｆｉｔ｜＜１ （３）
但し、Ｆｉｔ＜０
Ｆｓ＞０
なる条件を満足することが好ましい。
【００４０】
条件式（３）の上限を超えると、接着層の負の屈折力が大きくなりすぎ、凹レンズ形状の接着層のレンズ周辺における接着層の厚みが増してしまい、透過率の悪化を招いてしまい良くない。他方、下限値を越えると接着層の負の屈折力が小さくなり過ぎて、十分な色補正効果が得られにくくなってしまう。
【実施例】
【００４１】
無機微粒子を透明媒体に分散させた混合体よりなる接着剤を用いた接合レンズを有する光学系の実施例について説明する。以下で説明する光学系は、いずれも一眼レフカメラ用の交換レンズを想定したものである。
【００４２】
図１，３，５，７，９，１１は、実施例１〜６の光学系のレンズ断面図である。図２，４，６，８，１０，１２はそれぞれ各実施例の光学系の諸収差図である。
【００４３】
各レンズ断面図において、ＩＴＯは接着層を表し、無機微粒子であるＩＴＯ微粒子を透明媒体であるポリビニルカルバゾールに分散させた混合体で形成されている。ＳＰは開口絞り（虹彩絞り）、ＦＰは固定のフレアカット絞り、ＳＳＰはズーミングに際して移動を行い、径可変のフレアカット副絞りである。ＩＰは銀塩フィルム、あるいはＣＣＤセンサやＣＭＯＳセンサ等の固体撮像素子（光電変換素子）の感光面が位置する像面である。Ｌ１〜Ｌ５はズームレンズを構成するレンズ群である。
【００４４】
図１に示した実施例１は、望遠レンズが有する接合レンズにＩＴＯ微粒子を混合した接着剤を利用したものである。実施例１では、最も物体側に配置された正の屈折力の接合レンズの接着材として、ポリビニルカルバゾールにＩＴＯ微粒子を１０％混在させたものを用いている。
【００４５】
図３に示した実施例２は、広角レンズが有する接合レンズにＩＴＯ微粒子を混合した接着剤を利用したものである。実施例２では、開口絞りＳＰより像側に配置された正の屈折力の接合レンズの接着材として、ポリビニルカルバゾールにＩＴＯ微粒子を２０％混在させたものを用いている。
【００４６】
図１４は実施例１の光学系の光学使用とほぼ同等で、接着層に無機微粒子混合体を用いていない比較例１の光学系のレンズ断面図であり、図１５はその比較例１の光学系の諸収差図である。図１６は実施例２の光学系の光学使用とほぼ同等で、接着層に無機微粒子混合体を用いていない比較例２の光学系のレンズ断面図であり、図１７はその比較例２の光学系の諸収差図である。実施例１，２の光学系と、比較例１，２との諸収差比較により、実施例１，２の光学系の色収差補正効果は明らかである。
【００４７】
実施例３及び５は、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群を有する望遠ズームレンズであり、ズームレンズが有する接合レンズにＩＴＯ微粒子を混合した接着剤を利用したものである。これらの実施例では、第１レンズ群Ｌ１中の正の屈折力の接合レンズの接着材として、ポリビニルカルバゾールにＩＴＯ微粒子を１５％混在させたものを用いている。これにより、特別な硝材を用いなくとも、特に望遠化にて問題となる望遠端での軸上色収差補正を良好に行っている。
【００４８】
実施例４及び６は、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４を有する広角ズームレンズであり、ズームレンズが有する接合レンズにＩＴＯ微粒子を混合した接着剤を利用したものである。これらの実施例では、最も物体側に配置された正の屈折力の接合レンズの接着材として、ポリビニルカルバゾールにＩＴＯ微粒子を２０％若しくは１５％混在させたものを用いている。これにより、特別な硝材を用いなくとも、特に広角化にて問題となる広角端での倍率色収差補正を良好に行っている。
【００４９】
なお、本発明によって得られる効果は、上述した光学系タイプのみに限定されるものではない。特に、望遠光学系においては開口絞りＳＰより物体側の接合レンズに、広角光学系においては開口絞りＳＰより像側の接合レンズに、無機微粒子分散材料を活用すれば、同様の効果が得られる。
【００５０】
実施例１〜６は一眼レフカメラ用の交換レンズを想定したものであるが、本発明の応用はこれに限定されるものではない。例えば、結像光学系を含んだ望遠鏡や双眼鏡、顕微鏡等においても、本発明を利用することにより、良好な色収差補正効果が得られ、高画質な光学系を達成することが可能である。
【００５１】
以下、実施例１〜６に対応する数値実施例１〜６と、比較例１，２の数値データを示す。各数値実施例において、ｉは物体側から数えた面の順序を示し、Ｒｉは第ｉ番目の光学面（第ｉ面）の曲率半径、Ｄｉは第ｉ面と第（ｉ＋１）面との間の軸上間隔、Ｎｉ，νｉはそれぞれｄ線を基準とした第ｉ番目（本発明の接着層は除く）の光学部材の材料の屈折率、アッベ数を示す。ＮＩＴＯ，νＩＴＯはそれぞれ無機微粒子分散材料である接着剤のｄ線を基準とした屈折率とアッベ数である。ｆは焦点距離、ＦｎｏはＦナンバー、ωは半画角である。
【００５２】
また、非球面形状は、ｘを光軸方向の面頂点からの変位量、ｈを光軸と垂直な方向の光軸からの高さ、ｒを近軸曲率半径、ｋを円錐定数、Ｂ，Ｃ，Ｄ，Ｅ各次数の非球面係数とするとき、
【００５３】
【数１】
0004612810.tif 000002
【００５４】
で表す。なお、各非球面係数における「ｅ±ＸＸ」は「×１０±ＸＸ」を意味している。
【００５５】
また、条件式（１）〜（３）と各数値実施例の関係を表１に示す。
【００５６】
（数値実施例１）
ｆ＝295.81  Ｆｎｏ＝4.5     ２ω＝8.4° 
R 1 =   179.072     D 1 = 10.00      N 1 = 1.487490      ν 1 = 70.2
R 2 =  -406.734     D 2 =  0.10      NITO= 1.712700      νITO= 13.84
R 3 =  -1417.187    D 3 =  4.00      N 2 = 1.721507      ν 2 = 29.2
R 4 =   1622.901    D 4 =  0.15
R 5 =     73.881    D 5 =  9.10      N 3 = 1.487490      ν 3 = 70.2
R 6 =    201.333    D 6 = 54.82
R 7 =     47.371    D 7 =  4.43      N 4 = 1.589130      ν 4 = 61.2
R 8 =     47.738    D 8 = 14.82
R 9 =      絞り     D 9 =  2.18
R10 =     40.490    D10 =  4.80      N 5 = 1.592701      ν 5 = 35.3
R11 =    230.664     D11 =  2.00
R12 =   -427.080     D12 =  1.70      N 6 = 1.772499      ν 6 = 49.6
R13 =     36.864     D13 = 30.50
R14 =      ∞        D14 =  2.50
R15 =      ∞        D15 =  2.00      N 7 = 1.516330      ν 7 = 64.2
R16 =      ∞        
*NITO，νITO
接着剤はNd=1.58306 νd=17.69 のポリビニルカルバゾールにＩＴＯ微粒子を１０％混合したものである。
【００５７】
（数値実施例２）
ｆ＝ 20.50  Ｆｎｏ＝2．86    ２ω＝93.1° 
R 1 =     43.585      D 1 =  2.00      N 1 = 1.589130      ν 1 = 61.2
R 2 =     20.744      D 2 =  6.87
R 3 =     54.273      D 3 =  2.00      N 2 = 1.559625      ν 2 = 61.2
R 4 =     23.026      D 4 =  6.05
R 5 =     87.546      D 5 =  9.03      N 3 = 1.589130      ν 3 = 61.2
R 6 =    -62.508      D 6 =  1.50
R 7 =     22.690      D 7 =  1.05      N 4 = 1.772499      ν 4 = 49.6
R 8 =     10.276      D 8 =  3.86
R 9 =     46.750      D 9 =  7.14      N 5 = 1.805177      ν 5 = 25.4
R10 =   -1963.864      D10 =  0.10
R11 =     59.120      D11 =  9.06      N 6 = 1.516330      ν 6 = 64.2
R12 =    -15.275      D12 =  0.50
R13 =    絞り        D13 =  5.60
R14 =    -27.617      D14 =  1.90      N 7 = 1.672700      ν 7 = 32.1
R15 =     31.694      D15 =  0.80
R16 =   -204.218      D16 =  1.70      N 8 = 1.805177      ν 8 = 25.4
R17 =    -67.770      D17 =  0.10     NITO= 1.729340      νITO= 11.51
R18 =   -296.207      D18 =  3.30      N 9 = 1.487490      ν 9 = 70.2
R19 =    -16.237      D19 =  0.10
R20 =   -127.852      D20 =  3.06      N10 = 1.772499      ν10 = 49.6
R21 =    -33.513      
*NITO, νITO
接着剤は、Nd=1.58306 νd=17.69 のポリビニルカルバゾールにＩＴＯ微粒子を２０％混合したものである。
【００５８】
（数値実施例３）
ｆ＝103.35〜 291.85  Ｆｎｏ＝ 4.65 〜 5.81  ２ω＝23.6 〜 8.5°
R 1 =  137.517      D 1 =  2.70      N 1 = 1.805181      ν 1 = 25.4
R 2 =  110.315      D 2 =  0.10      NITO= 1.721040      νITO= 12.55
R 3 =   94.141      D 3 =  7.40      N 2 = 1.516330      ν 2 = 64.2
R 4 = -241.704       D 4 =  0.20
R 5 =   63.269      D 5 =  4.40      N 3 = 1.487490      ν 3 = 70.2
R 6 =  125.749      D 6 =  可変
R 7 =  -70.692      D 7 =  1.40      N 4 = 1.834807      ν 4 = 42.7
R 8 =   37.864      D 8 =  3.60
R 9 =   46.573      D 9 =  3.50      N 5 = 1.846658      ν 5 = 23.9
R10 = 5731.432       D10 =  可変
R11 = 絞り         D11 =  5.03
R12 = -244.087       D12 =  1.60      N 6 = 1.846658      ν 6 = 23.9
R13 =  114.052      D13 =  2.60
R14 =  108.677      D14 =  4.80      N 7 = 1.603112      ν 7 = 60.7
R15 =  -44.123      D15 =  可変
R16 =   76.581      D16 =  5.50      N 8 = 1.487490      ν10 = 70.2
R17 =  -41.037      D17 =  1.80      N 9 = 1.834000      ν 9 = 37.2
R18 = -183.385       D18 =  0.20
R19 =   70.476      D19 =  3.40      N10 = 1.607289      ν10 = 49.2
R20 = -215.479       D20 =  可変
R21 = -246.027       D21 =  1.10      N11 = 1.834807      ν11 = 42.7
R22 =   41.908      D22 =  1.00
R23 =  423.592      D23 =  1.20      N12 = 1.834807      ν12 = 42.7
R24 =   23.142      D24 =  3.20      N13 = 1.784718      ν13 = 25.7
R25 =  204.169
＼焦点距離     103.35    173.68    291.85
可変間隔＼
D 6            3.18     29.07     51.68
D10            25.90    10.05      2.66
D15            3.28     19.13     26.53
D20            26.73    17.28      1.73
*NITO, νITO
接着剤は、Nd=1.58306 νd=17.69 のポリビニルカルバゾールにＩＴＯ微粒子を１５％混合したもの
【００５９】
（数値実施例４）
ｆ＝ 17.64〜  33.86  Ｆｎｏ＝ 2.90 〜 2.90  ２ω＝101.6 〜 65.2°
* R 1 =   74.042      D 1 =  2.00      N 1 = 1.772499      ν 1 = 49.6
R 2 =   19.524      D 2 = 15.55
R 3 =  -55.808      D 3 =  1.20      N 2 = 1.834807      ν 2 = 42.7
R 4 =  113.545      D 4 =  2.17
R 5 =  257.631      D 5 =  3.15      N 3 = 1.805177      ν 3 = 25.4
R 6 = -100.037      D 6 =  可変
R 7 =   82.867      D 7 =  1.00      N 4 = 1.850259      ν 4 = 32.3
R 8 =   24.920      D 8 =  4.45      N 5 = 1.487490      ν 5 = 70.2
R 9 = -100.042      D 9 =  0.15
R10 =   35.338      D10 =  4.35      N 6 = 1.743997      ν 6 = 44.8
R11 =  -74.547      D11 =  可変
R12 =    絞り       D12 =  2.51
R13 =  -65.432      D13 =  1.20      N 7 = 1.882997      ν 7 = 40.8
R14 =  174.379      D14 =  2.02
R15 =  -41.620      D15 =  2.20      N 8 = 1.696797      ν 8 = 55.5
R16 =   26.868      D16 =  4.20      N 9 = 1.846658      ν 9 = 23.9
R17 = -177.023      D17 =  1.20
R18 =   副絞り      D18 =  可変
R19 =   29.386      D19 =  3.90      N10 = 1.487490      ν10 = 70.2
R20 =  189.676      D20 =  5.60      N11 = 1.712995      ν11 = 53.9
R21 =  -30.967      D21 =  0.10      NITO= 1.729340      νITO= 11.51
R22 =  -36.527      D22 =  1.20      N12 = 1.846658      ν12 = 23.9
R23 =  -92.513      D23 =  0.20
R24 =   39.346      D24 =  1.30      N13 = 1.846660      ν13 = 23.8
R25 =   24.380      D25 =  1.60
R26 =   39.444      D26 =  7.50      N14 = 1.487490      ν14 = 70.2
R27 =  -25.301      D27 =  2.00      N15 = 1.814740      ν15 = 37.0
* R28 = -290.545      D28 =  可変
R29 =  固定絞り
＼焦点距離     17.64    27.94    33.86
可変間隔＼
D 6           19.26    4.95      1.14
D11           0.73     6.09      8.56
D18           8.15     2.80      0.32
D28           0.00    11.07     17.84
非球面係数
第１面
Ａ=0.00000e+00  Ｂ=2.98445e-05  Ｃ=2.71133e-06  Ｄ=2.99707e-08
Ｅ=4.94577e-11
第２８面
Ａ=-9.65800e-03  Ｂ=8.22804e-06  Ｃ=1.73307e-07  Ｄ=6.63000e-09
Ｅ=5.38334e-11
*NITO, νITO
接着剤は、Nd=1.58306 νd=17.69 のポリビニルカルバゾールにＩＴＯ微粒子を２０％混合したもの
【００６０】
（数値実施例５）
ｆ＝ 93.84〜 289.72  Ｆｎｏ＝ 4.68 〜 5.88  ２ω＝26.0 〜 8.5°
R 1 =  391.425      D 1 =  3.75      N 1 = 1.516330      ν 1 = 64.1
R 2 = -245.160       D 2 =  0.15
R 3 =   59.937      D 3 =  2.40      N 2 = 1.728250      ν 2 = 28.5
R 4 =   45.470      D 4 =  0.10      NITO= 1.721040      νITO= 12.55
R 5 =   43.258      D 5 =  7.25      N 3 = 1.516330      ν 3 = 64.1
R 6 =  195.033      D 6 =  可変
R 7 =  -77.525      D 7 =  1.30      N 4 = 1.806098      ν 4 = 40.9
R 8 =   29.090      D 8 =  1.70
R 9 =   32.990      D 9 =  3.60      N 5 = 1.805181      ν 5 = 25.4
R10 =  359.854      D10 =  可変
R11 =    絞り      D11 =  8.00
R12 =  359.312      D12 =  1.30      N 6 = 1.805181      ν 6 = 25.4
R13 =   59.965      D13 =  4.70      N 7 = 1.517417      ν 7 = 52.4
R14 =  -37.847      D14 =  可変
R15 =  238.772      D15 =  3.40      N 8 = 1.516330      ν 8 = 64.1
R16 =  -28.556      D16 =  1.30      N 9 = 1.800999      ν 9 = 35.0
R17 = -167.645       D17 =  0.15
R18 =   46.890      D18 =  3.25      N10 = 1.582673      ν10 = 46.4
R19 = -102.145       D19 =  可変
R20 = -182.411       D20 =  1.20      N11 = 1.712995      ν11 = 53.9
R21 =   36.059      D21 =  1.84
R22 = -351.197       D22 =  1.20      N12 = 1.712995      ν12 = 53.9
R23 =   24.217      D23 =  3.10      N13 = 1.728250      ν13 = 28.5
R24 =  151.241
＼焦点距離    93.84    164.88    289.72
可変間隔＼
D 6            6.75    32.74     53.48
D10            33.56   17.34     5.14
D14            0.70    16.92     29.12
D19            23.55    15.37     1.09
*NITO, νITOは、
接着剤は、Nd=1.58306 νd=17.69 のポリビニルカルバゾールにＩＴＯ微粒子を１５％混合したもの
【００６１】
（数値実施例６）
ｆ＝ 16.79〜  34.47  Ｆｎｏ＝ 2.91 〜 3.52  ２ω＝104.4 〜 64.2°
* R 1 =  522.818      D 1 =  2.00      N 1 = 1.772499      ν 1 = 49.6
R 2 =   21.226      D 2 =  17.37
R 3 =  -61.601      D 3 =  1.20      N 2 = 1.834807      ν 2 = 42.7
R 4 =   45.978      D 4 =  0.17      N 3 = 1.516400      ν 3 = 52.2
* R 5 =   58.731      D 5 =  0.18
R 6 =   40.127      D 6 =  5.00      N 4 = 1.846660      ν 4 = 23.9
R 7 = 2441.634      D 7 =  可変
R 8 =   50.372      D 8 =  1.30      N 5 = 1.805181      ν 5 = 25.4
R 9 =   23.711      D 9 =  7.87      N 6 = 1.517417      ν 6 = 52.4
R10 =  -89.453      D10 =  0.15
R11 =   41.300      D11 =  4.24      N 7 = 1.729157      ν 7 = 54.7
R12 = -100.558      D12 =  可変
R13 =  絞り       D13 =  1.56
R14 =49995.989      D14 =  1.45      N 8 = 1.882997      ν 8 = 40.8
R15 =   66.391      D15 =  2.87
R16 =  -32.863      D16 =  1.05      N 9 = 1.723420      ν 9 = 38.0
R17 =   23.085      D17 =  6.00      N10 = 1.846660      ν10 = 23.9
R18 =  -92.014      D18 =  0.75
R19 =   副絞り      D19 =  可変
R20 =   36.013      D20 =  7.80      N11 = 1.496999      ν11 = 81.5
R21 =  -23.668      D21 =  0.10      NITO= 1.721040      νITO= 12.55
R22 =  -24.724      D22 =  1.20      N12 = 1.846660      ν12 = 23.9
R23 =  -40.325      D23 =  0.20
R24 =  363.403      D24 =  1.20      N13 = 1.834000      ν13 = 37.2
R25 =   26.607      D25 =  6.65      N14 = 1.496999      ν14 = 81.5
R26 =  -71.448      D26 =  0.15
R27 = 1066.382      D27 =  3.00      N15 = 1.727380      ν15 = 40.4
* R28 = -137.682      D28 =  可変
R29 =  固定絞り
＼焦点距離    16.79    24.06    34.47
可変間隔＼
D 7           21.29      8.78     0.82
D12            0.84     5.50     11.14
D19           10.50     5.84     0.20
D28            1.00     9.08      21.17
非球面係数
第１面
Ａ=0.00000e+00  Ｂ=-3.92333e-05  Ｃ=-2.57916e-06  Ｄ=-2.01647e-08  
Ｅ=-3.41610e-11
第５面
Ａ=0.00000e+00  Ｂ=1.24349e-05  Ｃ=1.26245e-08  Ｄ=-2.64999e-10
Ｅ=1.17940e-12
第２８面
Ａ=0.00000e+00  Ｂ=8.19182e-06  Ｃ=8.25745e-09  Ｄ=2.25680e-11  
Ｅ=4.39287e-15
*NITO, νITO
接着剤は、Nd=1.58306 νd=17.69 のポリビニルカルバゾールにＩＴＯ微粒子を１５％混合したもの
【００６２】
（比較例１）
ｆ＝294.98  Ｆｎｏ＝ 4.15      ２ω＝8.4° 
R 1 =    216.850      D 1 = 11.00      N 1 = 1.487490      ν 1 = 70.2
R 2 =   -158.341      D 2 =  4.00      N 2 = 1.721507      ν 2 = 29.2
R 3 =  -1489.317      D 3 =  0.15
R 4 =     65.260      D 4 =  9.10      N 3 = 1.487490      ν 3 = 70.2
R 5 =    164.434      D 5 = 59.51
R 6 =     32.371      D 6 =  4.43      N 4 = 1.589130      ν 4 = 61.2
R 7 =     29.906      D 7 = 14.82
R 8 =     絞り       D 8 =  2.18
R 9 =    69.758       D 9 =  3.60      N 5 = 1.592701      ν 5 = 35.3
R10 =   -251.155      D10 =  2.00
R11 =    -73.122      D11 =  1.70      N 6 = 1.772499      ν 6 = 49.6
R12 =     91.481      D12 = 30.50
R13 =      ∞        D13 =  2.50
R14 =    592.425      D14 =  2.00      N 7 = 1.516330      ν 7 = 64.2
R15 =      ∞        D15 = 82.00
【００６３】
（比較例２）
ｆ＝ 20.48  Ｆｎｏ＝2.86     ２ω＝93.1° 
R 1 =     36.269      D 1 =  2.00      N 1 = 1.589130      ν 1 = 61.2
R 2 =     20.119      D 2 =  6.87
R 3 =     48.531      D 3 =  2.00      N 2 = 1.559625      ν 2 = 61.2
R 4 =     19.727      D 4 =  6.05
R 5 =     89.373      D 5 =  9.03      N 3 = 1.589130      ν 3 = 61.2
R 6 =    -61.508      D 6 =  1.50
R 7 =     24.467      D 7 =  1.05      N 4 = 1.772499      ν 4 = 49.6
R 8 =      9.621      D 8 =  3.86
R 9 =     37.997      D 9 =  4.55      N 5 = 1.805177      ν 5 = 25.4
R10 =    609.940      D10 =  0.10
R11 =     49.940      D11 =  9.34      N 6 = 1.516330      ν 6 = 64.2
R12 =    -13.870      D12 =  0.50
R13 =     絞り       D13 =  5.60
R14 =    -27.617      D14 =  1.90      N 7 = 1.672700      ν 7 = 32.1
R15 =     31.694      D15 =  0.61
R16 =   2706.860      D16 =  1.00      N 8 = 1.805177      ν 8 = 25.4
R17 =     43.627      D17 =  3.58      N 9 = 1.487490      ν 9 = 70.2
R18 =    -19.991      D18 =  0.10
R19 =    -96.270      D19 =  3.06      N10 = 1.772499      ν10 = 49.6
R20 =    -23.120      D20 = 35.88
【００６４】
【表１】
0004612810.tif 000003
【００６５】
以上説明した実施例の光学系では、接合面を球面としているが、ここに非球面を導入すれば更に球面収差や歪曲などの諸収差を良好に補正することもできる。
【図面の簡単な説明】
【００６６】
【図１】実施例１の光学系のレンズ断面図である。
【図２】実施例１の光学系の諸収差図である。
【図３】実施例２の光学系のレンズ断面図である。
【図４】実施例２の光学系の諸収差図である。
【図５】実施例３の光学系のレンズ断面図である。
【図６】実施例３の光学系の諸収差図である。
【図７】実施例４の光学系のレンズ断面図である。
【図８】実施例４の光学系の諸収差図である。
【図９】実施例５の光学系のレンズ断面図である。
【図１０】実施例５の光学系の諸収差図である。
【図１１】実施例６の光学系のレンズ断面図である。
【図１２】実施例６の光学系の諸収差図である。
【図１３】ＩＴＯの分散特性の特徴を説明する概略図である。
【図１４】比較例１の光学系のレンズ断面図である。
【図１５】比較例１の光学系の諸収差図である。
【図１６】比較例２の光学系のレンズ断面図である。
【図１７】比較例２の光学系の諸収差図である。
【符号の説明】
【００６７】
ＩＴＯ  無機微粒子分散材料より成る接着層
ＳＰ  開口絞り
ＳＳＰ  ズーミング中移動を行い、径可変なフレアカット用副絞り
ＦＰ  固定フレアカット絞り
ＩＰ  像面
Ｌ１  第１レンズ群
Ｌ２  第２レンズ群
Ｌ３  第３レンズ群
Ｌ４  第４レンズ群
Ｌ５  第５レンズ群
【図１】
0004612810.tif 000004
【図２】
0004612810.tif 000005
【図３】
0004612810.tif 000006
【図４】
0004612810.tif 000007
【図５】
0004612810.tif 000008
【図６】
0004612810.tif 000009
【図７】
0004612810.tif 000010
【図８】
0004612810.tif 000011
【図９】
0004612810.tif 000012
【図１０】
0004612810.tif 000013
【図１１】
0004612810.tif 000014
【図１２】
0004612810.tif 000015
【図１３】
0004612810.tif 000016
【図１４】
0004612810.tif 000017
【図１５】
0004612810.tif 000018
【図１６】
0004612810.tif 000019
【図１７】
0004612810.tif 000020